(57)【要約】【課題】ポール、支柱、住宅の根太を支える束などを支持・固定する螺旋杭と杭打ち法を提供する。【解決手段】中空の木ネジ状で、下端の錐１１から上方にスクリューＳが形成され、スクリューＳの上部で傾斜段部１３が形成されて大径になる螺旋杭１０において、上記大径部分１４の内側に駆動源からの回転を伝受する継ぎ手を設け、大径部分１４の上端外周に環状リブ１８を一体に設けてなり、上記駆動源からの回転を伝受する継ぎ手は、スプライン、または六角孔１５と六角軸１７との組み合わせ、あるいは、上記大径部分１４の内側に形成した角状突起と、この角状突起に嵌り合うボックスとの組み合わせでなる。【選択図】図２
2006207287.tif 000002
【特許請求の範囲】
【請求項１】
中空の木ネジ状で、下端の錐状部分から上方にスクリューが形成され、スクリューの上部で傾斜段部が形成されて大径になる螺旋杭において、上記大径部分の内側に駆動源からの回転を伝受する継ぎ手を設け、大径部分の上端外周に環状リブを一体に設けたことを特徴とする螺旋杭。
【請求項２】
上記継ぎ手は、スプライン継ぎ手または、角孔と角軸の組み合わせのいずれかにしたことを特徴とする請求項１に記載の螺旋杭。
【請求項３】
上記継ぎ手は、上記大径部分の内側に設けた角柱状突起と、この角柱状突起に嵌り合うボックスとからなることを特徴とする請求項１に記載の螺旋杭。
【請求項４】
請求項１〜３のいずれかに記載の上記螺旋杭の上端に設けた環状リブの下側に、その大径部分に被嵌する座金を嵌め、上記環状リブの上側から、中心に駆動軸が貫通する貫通孔を設けた板材を被せて、上記座金と上記板材とを環状リブを介してボルトで締結し、上記駆動軸を、上記貫通孔を経て上記螺旋杭の継ぎ手に結合し、該螺旋杭をねじ込むことを特徴とする螺旋杭の杭打ち法。
【請求項５】
請求項１〜３のいずれかに記載の上記螺旋杭の上端の内部に、中心に駆動軸の貫通孔を設けた円盤を嵌め込み、この円盤の貫通孔を通じて駆動軸を挿通し、上記継ぎ手に結合させて螺旋杭をねじ込むことを特徴とする螺旋杭の杭打ち方法。
【請求項６】
請求項１〜３のいずれかに記載の上記螺旋杭を、垂直回転機能を備えた重機、または地質・地盤調査用ボーリングマシーンにより地中に打ち込む螺旋杭の杭打ち法。
【発明の詳細な説明】
【技術分野】
【０００１】
この発明は、フェンスや道路標識のポール、大形テントの支柱、一般住宅や仮設住宅の根太を支える束などを支持・固定する螺旋杭とその打ち込み法に関する。
【背景技術】
【０００２】
螺旋杭に関する技術については可成り古くから存在するが、これらの技術は、高層建築物などの基礎杭を成すものであって、その先行技術を調査したところ、螺旋杭そのものの構造は、帯鋼をスパイラル状に巻き回して、その突き合わされる両縁を互いに溶接して筒状にしたものである。
【０００３】
また、この螺旋杭の打ち込む技術について見ると、重機に特別なアタッチメントとともにオーガーを取り付け、これにより縦穴を掘削し、この縦穴に上記螺旋杭を装入するものであって、高層建築物の基礎用杭打ち技術そのものであり、フェンスや道路標識のポールの立設、大形・小形テントの支柱の固定、一般住宅や仮設住宅の根太を支える束の支持・固定に適する螺旋杭は存在しなかった。
【０００４】
一方、フェンスや道路標識のポールの固定は、コンクリートを打って固定しており、大形テントの支柱の固定では、必要な強度を持たせるためにコンクリートを打つか、杭を地中深く打ち込んでこれに固定しており、一般住宅や仮設住宅の根太を支える束は、床下に束石を配置し、これに束を載せて固定している。
【発明の開示】
【発明が解決しようとする課題】
【０００５】
上記のような従来工法では、工数と資材・機材を多く必要とするので、より経済的な工法が求められており、これに応えるものとしてフェンスや道路標識のポール、大形テントの支柱、一般住宅や仮設住宅の根太を支える束などを支持・固定する螺旋杭とその工法を提供することを課題とする。
【課題を解決するための手段】
【０００６】
上記課題を解決するためにこの発明は、中空の木ネジ状で、下端の錐状部分から上方にスクリューが形成され、スクリューの上部で傾斜段部が形成されて大径になる螺旋杭において、上記大径部分の内側に駆動源からの回転を伝受する継ぎ手を設け、大径部分の上端外周に環状リブを一体に設けてなり、上記駆動源からの回転を伝受する継ぎ手は、スプライン、または角孔と角軸との組み合わせとするか、上記大径部分の内側に形成した角柱状突起と、この角柱状突起に嵌り合うボックスとの組み合わせとすることができる。
【０００７】
また、上記螺旋杭の杭打ち法として、上記螺旋杭の上端に設けた環状リブの下側に、上記大径部分に被嵌する座金を嵌め、上記環状リブの上側から、中心に駆動軸が貫通する貫通孔を設けた板材を被せて上記座金と上記板材とを環状リブを介してボルトで締結し、上記駆動軸を、上記貫通孔を経て上記螺旋杭の継ぎ手に結合して該螺旋杭をねじ込むか、上記螺旋杭の上端の内部に、中心に駆動軸の貫通孔を設けた円盤を嵌め込み、この円盤の貫通孔を通じて駆動軸を挿通し、上記継ぎ手に結合させて螺旋杭をねじ込むことができる。
【０００８】
さらに、上記螺旋杭の杭打ち法として、上記螺旋杭を、垂直回転機能を備えた重機、または地質・地盤調査用ボーリングマシーンにより地中に打ち込むこともできる。
【発明の効果】
【０００９】
上記の如く構成するこの発明によれば、フェンスや道路標識のポールの立設においては、コンクリート打ちをせずにポールを立設することが可能になり、一般住宅や仮設住宅の根太を支える束の支持においては、束石を配置する必要がなくなる。また、仮設するものにあっては、用済み後、打ち込んだ螺旋杭を抜き取り、繰り返し使用できるので経済的であり、環境保全にも役立てることができる。
【発明を実施するための最良の形態】
【００１０】
次にこの発明の実施形態を、図面を参照しながら説明する。図１において、螺旋杭１０の形状は、大形の中空の木ネジ状で先端に錐１１が一体に固着され、中空部分の先端と上部には透孔１２が設けられ、その間にスクリューＳが設けられ、下端から約２／３上方に傾斜段部１３が形成されて大径になり、上記傾斜段部１３の下部内側には図２に示すように六角孔１５が成形され、この六角孔１５に、中間軸１６の先端に形成した六角軸１７が嵌入している。
【００１１】
螺旋杭１０の上端外周には環状リブ１８が形成され、その直下に遊嵌する座金１９が嵌り、その下に座金１９が下がるのを防止するビスねじ２０がねじ込まれ、螺旋杭１０の上面に、中心に貫通孔２１を設けた円形（多角形でもよい）の板材２２が被せられ、上記環状リブ１８を挟んで上記座金１９と板材２２とがボルト・ナット２３で締め付け固定される。
【００１２】
上記螺旋杭１０の頂部に被せる板材２２に替えて、図３（ａ）に示すように螺旋杭１０の上端近くの内側に円盤を支持するピン２０ｂを設け、その上に中心に貫通孔２１ｂを設けた円盤２２ｂを嵌め込み、中間軸１６を挿通するようにすることができる。また、図３（ｂ）に示すように螺旋杭１０の頂部に、その内径に合わせた鰭Ｃ1 を有する内筒Ｃ2 とフランジＣ3 を設けたカラーＣを嵌め、このカラーＣの貫通孔１５に中間軸１６を挿通するようにすることもできる。
【００１３】
上記螺旋杭１０をねじ込むときは、図２に示すように上記板材２２の貫通孔２１に中間軸１６を貫通させ、中間軸先端の六角軸１７を六角孔１５に嵌入し、例えば図４示すような螺旋杭の打ち込み装置３０でもって、上記中間軸１６を回転させながら打ち込む。
【００１４】
上記螺旋杭の打ち込み装置３０は、下端に垂直維持部材３１と針状突起３２を設けた角柱３３に、スライドローラー装置３４を装着し、このスライドローラー装置３４からブラケット３５を延し、このブラケット３５の端にモーター３６と減速機３７を一体にした駆動源３８の出力軸３９に中間軸１６を接続するものである。
【００１５】
上記螺旋杭の打ち込み装置の他、図５に示す垂直軸回転装置を有する重機Ｍ、あるいは地盤調査用のボーリングマシーンでもって螺旋杭を打ち込むこともできる。
【００１６】
図６は、本発明に係る螺旋杭を利用して安全柵Ｊを設けたもの、図７は、同じくトラマークのフェンスＦを設けたもの、図８は、同じく安全鎖Ｌを設けたもの、図９は、道路標識ＤのポールＰを立設したもの、図１０は、仮設事務所Ｈの束に利用したものを示す。
【産業上の利用可能性】
【００１７】
以上説明した如くこの発明によれば、フェンスや道路標識のポールの立設、一般住宅や仮設住宅の根太を支える束の設置等において、極めて簡単に工事を行なうことができ、また、工事に用いる治工具は可搬のものであるから随時移動可能で、仮設の場合は、用済み後、螺旋杭を抜き取り繰り返し利用可能で環境保全でも大いに効果を発揮し、産業上の利用可能性は極めて大きいものである。
【図面の簡単な説明】
【００１８】
【図１】この発明に係る螺旋杭（その１）の正面図
【図２】同部分断面図
【図３】同螺旋杭（その２）の部分断面図
【図４】螺旋杭の打ち込み説明図
【図５】重機による螺旋杭の打ち込み説明図
【図６】この発明の螺旋杭により設けられた安全柵の説明図
【図７】同トラマークフェンスの説明図
【図８】同安全鎖の説明図
【図９】同道路標識の説明図
【図１０】同仮設事務所の説明図
【符号の説明】
【００１９】
１０  螺旋杭
１１  錐
１２  透孔
１３  傾斜段部
１４  大径部分
１５  六角孔
１６  中間軸
１７  六角軸
１８  環状リブ
１９  座金
２０  ビスねじ
２０ｂ  円盤を支持するピン
２１，２１ｂ  貫通孔
２２  板材
２２ｂ  貫通孔を設けた円盤
２３  ボルト・ナット
３０  打ち込み装置
３１  垂直維持部材
３２  針状突起
３３  角柱
３４  スライドローラー装置
３５  ブラケット
３６  モーター
３７  減速機
３８  駆動源
３９  出力軸
Ｃ  カラー
Ｇ  グリップ
Ｌ  水準器
Ｊ  安全柵
ｆ  トラマークフェンス
Ｌ  安全鎖
Ｄ  道路標識
Ｐ  ポール
Ｈ  仮設事務所
Ｍ  重機
Ｓ  スクリュー
【図１】
2006207287.tif 000003
【図２】
2006207287.tif 000004
【図３】
2006207287.tif 000005
【図４】
2006207287.tif 000006
【図５】
2006207287.tif 000007
【図６】
2006207287.tif 000008
【図７】
2006207287.tif 000009
【図８】
2006207287.tif 000010
【図９】
2006207287.tif 000011
【図１０】
2006207287.tif 000012